(57)【要約】      （修正有）【課題】デジタル放送において、表示画面が映らない場合でも、入力信号の状態を判断できるようにする。【解決手段】可変利得手段１０１と直交復調手段１０２と波形等化手段１０３と符号識別手段１０４とデータ変換手段１０５と誤り訂正手段１０６と，１０１を制御する信号レベル検出手段１０７と，１０３の制御情報から入力状態を判断する波形等化評価手段１０８と，１０３の出力信号分布を評価するコンスタレーション評価手段１０９と，１０４の入出力からＳ／Ｎを評価するＳ／Ｎ評価手段１１０と，誤り訂正数から誤り率を求める誤り率評価手段１１１と，１０７〜１１１の出力を入力して総合的に評価する入力状態評価手段１１２と，１１２の出力を表示する評価結果表示手段１１３を備えることで実現できる。【選択図】図１
2005198323.tif 000002
【特許請求の範囲】
【請求項１】
入力する直交変調信号を一定の振幅範囲に調整する可変利得手段と，前記可変利得手段の出力する振幅を調整された直交変調信号を直交復調し，２つの搬送波それぞれで変調されていた信号をそれぞれ復調したＩ信号，Ｑ信号として出力する直交復調手段と，前記直交復調手段の出力する前記Ｉ信号とＱ信号に含まれる，伝送路で加えられた歪みを除去する波形等化手段と，前記波形等化手段の出力を識別して，デジタルデータとする符号識別手段と，前記符号識別手段の出力を組合せて，一列のデータ系列に復号するデータ変換手段と，前記データ変換手段の出力するデータに誤り訂正処理を行う誤り訂正手段と，前記直交復調手段の出力するＩ信号とＱ信号から前記可変利得手段を制御する信号レベル検出手段を備える直交変調波復調装置において，
前記波形等化手段の制御情報から前記波形等化手段への入力信号の状態を評価する波形等化評価手段と，前記波形等化手段の出力する波形等化したＩ信号とＱ信号から信号点の分布状態を評価するコンスタレーション評価手段と，前記符号識別手段の識別前と識別後の信号の差から信号対雑音比を評価するＳ／Ｎ評価手段と，前記誤り訂正手段で一定時間に訂正した数から誤り率を求める誤り率評価手段と，前記信号レベル検出手段，前記波形等化評価手段，前記コンスタレーション評価手段，前記Ｓ／Ｎ評価手段，前記誤り率評価手段の少なくとも一手段の評価結果から，入力信号の状態を総合的に評価する入力状態評価手段と，前記入力状態評価手段の評価結果を表示する評価結果表示手段，前記入力状態評価手段の評価結果を出力する出力端子手段の少なくとも一手段を備えることを特徴とす
る直交変調波復調装置。
【請求項２】
請求項１に記載の直交変調波復調装置において，前記波形等化評価手段は，波形等化手段の制御情報の内，主信号の利得を表わすメインタップのタップ係数を評価するメインタップ評価手段と，メインタップを除くタップのタップ係数の総和を求めるメインタップを除くタップ係数総和演算手段と，前記メインタップを除くタップ係数総和演算手段の演算結果とメインタップのタップ係数を加算して，全タップのタップ係数の合計を求める加算手段と，前記加算手段の演算結果を評価する第１の判定手段と，前記メインタップを除くタップ係数総和演算手段の演算結果を評価する第２の判定手段と，前記メインタップ評価手段の評価結果と，前記第１の判定手段の評価結果と，前記第２の判定手段の評価結果から，前記波形等化手段への入力信号の状態を評価する状態判定手段を備えることを特徴と
する直交変調波復調装置。
【請求項３】
請求項１に記載の直交変調波復調装置において，前記コンスタレーション評価手段は，信号を連続して記憶する記憶手段と，直交変調波復調装置に信号が入力されていない時に，前記波形等化手段から出力される可能性の有る有限の数の信号点の変化パターンをすべて記憶している基準値記憶手段と，前記記憶手段の記憶する信号変化パターンと前記基準値記憶手段の記憶している信号点の変化パターンのなかで一致するものが有るかを判断する比較手段で構成されることを特徴とする直交変調波復調装置。
【請求項４】
請求項１に記載の直交変調波復調装置において，前記コンスタレーション評価手段は，信号を連続的に，あるいは，一定間隔毎に記憶する記憶手段と，前記記憶手段に記憶する信号と，１つ前に記憶した信号が一致するかを比較する比較手段と，前記比較手段の比較結果が連続して一致した場合の数をカウントするカウンタと，信号が入力されていないと判断するための第１の基準と，前記カウンタのカウンタ値と前記第１の基準を比較して信号が入力されているか入力されていないかを判断する第１の比較手段と，
前記記憶手段に記憶している信号点がどのように分布しているかを度数分布にする度数分布作成手段と，信号が入力されていない場合に信号点が分布する範囲を指定した第２の基準と，前記度数分布作成手段の作成した度数分布と前記第２の基準を比較して，信号が入力されていないかどうかを判定する第２の比較手段と，前記第１の比較手段と前記第２の比較手段の判定結果から，信号が入力されているか入力されていないかを総合的に判断する条件判断手段を備えることを特徴とする直交変調波復調装置。
【請求項５】
請求項１に記載の直交変調波復調装置において，前記入力状態評価手段は，前記Ｓ／Ｎ評価手段の評価結果と前記波形等化手段の評価結果と前記コンスタレーション評価手段の評価結果の論理和と取る論理和手段と，前記誤り率評価手段の評価結果と，前記信号レベル検出手段の制御出力と，前記論理和手段の出力の論理積を取る論理積手段から構成されることを特徴とする直交変調波復調装置。
【請求項６】
入力する直交変調信号を一定の振幅範囲に調整する可変利得手段と，前記可変利得手段の出力する振幅を調整された直交変調信号を直交復調し，２つの搬送波それぞれで変調されていた信号をそれぞれ復調したＩ信号，Ｑ信号として出力する直交復調手段と，前記直交復調手段の出力する前記Ｉ信号とＱ信号に含まれる，伝送路で加えられた歪みを除去する波形等化手段と，前記波形等化手段の出力を識別して，デジタルデータとする符号識別手段と，前記符号識別手段の出力を組合せて，一列のデータ系列に復号するデータ変換手段と，前記データ変換手段の出力するデータに誤り訂正処理を行う誤り訂正手段と，前記直交復調手段の出力するＩ信号とＱ信号から前記可変利得手段を制御する信号レベル検出手段を備える直交変調波復調装置において，
前記信号レベル検出手段の出力情報，前記波形等化手段の制御情報，前記波形等化手段の波形等化したＩ信号情報とＱ信号情報，前記符号識別手段で識別した信号と識別する前の信号の差情報，前記誤り訂正手段で単位時間に誤りを訂正した数情報の少なくとも一情報を入力して，入力信号の状態をソフトウエアで評価する評価手段と，
前記評価手段の評価結果を表示する評価結果表示手段，前記入力状態評価手段の評価結果を出力する出力端子手段の少なくとも一手段を備えることを特徴とする直交変調波復調装置。
【請求項７】
請求項１または６に記載の直交変調波復調装置において，前記評価結果表示手段は，直交変調波復調装置の使用者からの表示要求に応じて，前記評価結果を表示するための要求検出手段，異常が発生したことを検出し自動的に表示して，状態の異常を表示するための異常検出手段の少なくとも一方の手段と，前記要求検出手段，前記異常検出手段の検出した情報に応じて，前記評価結果の表示状態を切換える表示切換手段と，前記表示切換手段によって切換えられた信号を表示する表示手段を備えることを特徴とする直交変調波復調装置。
【請求項８】
請求項７に記載の直交変調波復調装置において，前記表示手段は，本体に付属した蛍光表示管，ＬＥＤ，液晶ディスプレイなどの表示装置，受信した放送の映像と合成してＴＶ画面上に表示するための映像合成装置の少なくとも一手段を備えることを特徴とする直交変調波復調装置。
【請求項９】
入力する直交変調信号を一定の振幅範囲に調整する可変利得手段と，前記可変利得手段の出力する振幅を調整された直交変調信号を直交復調し，２つの搬送波それぞれで変調されていた信号をそれぞれ復調したＩ信号，Ｑ信号として出力する直交復調手段と，前記直交復調手段の出力する前記Ｉ信号とＱ信号に含まれる，伝送路で加えられた歪みを除去する波形等化手段と，前記波形等化手段の出力を識別して，デジタルデータとする符号識別手段と，前記符号識別手段の出力を組合せて，一列のデータ系列に復号するデータ変換手段と，前記データ変換手段の出力するデータに誤り訂正処理を行う誤り訂正手段と，前記直交復調手段の出力するＩ信号とＱ信号から前記可変利得手段を制御する信号レベル検出手段を備える直交変調波復調装置において，
前記信号レベル検出手段の出力情報，前記波形等化手段の制御情報，前記波形等化手段の波形等化したＩ信号情報とＱ信号情報，前記符号識別手段で識別した信号と識別する前の信号の差情報，前記誤り訂正手段で単位時間に誤りを訂正した数情報の少なくとも一情報を入力して，入力信号の状態をソフトウエアで評価する評価手段と，
前記評価手段の評価結果を表示する評価結果表示手段，前記入力状態評価手段の評価結果を出力する出力端子手段の少なくとも一手段を備え，
前記評価手段における処理は，前記誤り訂正手段で訂正した数から誤り率を求める誤り率評価ステップと，前記誤り率評価ステップの評価結果から，誤り訂正が可能であったか不可能であったかを判定するステップと，前記入力レベル検出手段の制御出力が最大値になっているかを判定するステップと，前記符号識別手段で識別した信号と識別前の信号の差からＳ／Ｎを求めるＳ／Ｎ評価ステップと，前記Ｓ／Ｎ評価ステップでの評価結果が一定の範囲内にあるかを判定するステップと，前記波形等化手段の出力するＩ信号とＱ信号の分布を評価するコンスタレーション評価ステップと，前記コンスタレーション評価ステップでの評価結果が一定の範囲内に有るかを判断するステップと，前記波形等化手段の制御情報を評価する波形等化評価ステップと，前記波形等化評価ステップの評価結果から無
信号状態かどうかを判定するステップと，信号が入力されていないことを出力するステップと，信号が有ることを出力するステップを含むことを特徴とする入力評価方法。
【請求項１０】
請求項９に記載の入力評価方法において，前記波形等化評価ステップの処理は，前記波形等化手段の制御情報の内センタータップのタップ係数値が一定の範囲内にあるかどうかを判定するステップと，前記波形等化手段の制御情報の内すべてのタップ係数の総和が一定の範囲内に有るかを判定するステップと，  前記波形等化手段の制御情報の内センタータップ以外のタップのタップ係数の総和と，センタータップの比が一定の範囲内にあるかどうかを判定するステップと，信号がないことを出力するステップと，信号が有ることを出力するステップを含む事を特徴とする入力評価方法。
【請求項１１】
請求項９に記載の入力評価方法において，前記コンスタレーション評価ステップは，前記波形等化手段の出力するＩ信号とＱ信号を取り込むデータ取り込みステップと，前記データ取り込みステップで取り込んだデータが連続して同じ値となる数をカウントして一定数以上連続しているかどうかを判定するステップと，前記データ取り込みステップで取り込んだデータの度数分布を作成する度数分布作成ステップと，前記度数分布作成ステップで作成した度数分布から，データの存在する範囲が一定の範囲内に限られているかを判定するステップと，信号が無いことを出力するステップと，信号が有ることを出力するステップを含むことを特徴とする入力評価方法。
【発明の詳細な説明】
【技術分野】
【０００１】
本発明は，ＣＡＴＶ[Community Antenna TV(Cable TV):共聴テレビ(ケーブルテレビ)]などのデジタル放送受信機における直公変調波復調装置および入力評価方法に関する。
【背景技術】
【０００２】
現在放送のデジタル化が急ピッチで進められており，すでに通信衛星を使用したＣＳデジタル放送[Communication Satellite:通信衛星]が実用化されている。また，それに引き続き，ＣＡＴＶやＢＳ放送[Broadcasting Satellite:放送衛星]，地上放送向けのデジタル送受信機の開発も進められている。
【発明の開示】
【発明が解決しようとする課題】
【０００３】
しかしながら，デジタル化した場合には，現在のアナログ放送受信機とは，異なり画面上の映像で伝送路の状態や，受信機の状態を判定することが困難である。これは，デジタル放送では，誤り訂正を行うため，信号の受信品質がある程度以上であれば，全く同等の画質で表示され，それ以下になると，全く表示されなくなるためである。このため，何も映らないからといって，信号が入っているのかどうかという事も判断ができない。これらを解決するためには，データの誤り率によって，判断する必要が有るが，高価な測定器を販売店や，ＣＡＴＶ等の保守センターに大量に導入することは，困難であり，受信機自体で状態を判断する方法が望まれている。
【課題を解決するための手段】
【０００４】
デジタル変調信号を入力して，入力レベルを一定に調節して出力する可変利得手段と，前記可変利得手段の出力を直交復調して，それぞれの搬送波で変調された信号を復調してそれぞれＩ信号，Ｑ信号として出力する直交復調手段と，前記直交復調手段の出力するＩ信号とＱ信号から伝送系で加わった歪みを除去する波形等化手段と，前記波形等化手段で歪みを除去されたＩ信号とＱ信号を入力し，デジタルデータとして識別する符号識別手段と，前記符号識別手段で識別されたＩ信号とＱ信号のデータを組合せて,一系列のデータに戻すデータ変換手段と，前記データ変換手段の出力する一系列のデータの誤りを訂正する誤り訂正手段と，前記直交復調手段の出力が一定範囲内のレベルになるように信号レベルを検出して，前記可変利得手段を制御する信号レベル検出手段を備える直交変調波受信装置において，
前記波形等化手段の制御情報から信号の有る無しを判断する波形等化評価手段，前記波形等化手段の出力する波形等化された信号の分布から信号の有る無しを判断するコンスタレーション評価手段，前記符号識別手段で識別された後と，識別される前の信号の差からＳ／Ｎ[Signal to Noise ratio:信号対雑音比]を求めるＳ／Ｎ評価手段，前記誤り訂正手段で，誤りを訂正した数から誤り率を求め，かつ誤り率から誤り訂正が不可能な状態だったかを判断する誤り率評価手段の少なくとの一手段を設け，
前記信号レベル検出手段の出力，前記波形等化評価手段の出力，前記コンスタレーション評価手段の出力，前記Ｓ／Ｎ評価手段の出力，前記誤り率評価手段の出力の一部あるいはすべてを入力して総合的に信号の有る無しや，各評価結果を出力する入力状態評価手段と，
前記入力状態評価手段の出力する，信号の有り無し，信号レベル検出結果，Ｓ／Ｎ評価値，誤り率，コンスタレーション評価結果，波形等化評価結果の少なくとも一つを表示する評価結果表示手段を備えることで，実現することが出来る。
【発明の効果】
【０００５】
本発明により，データ出力が誤っている場合に，信号が無いのか，それ以外の部分が悪いのかの判定が容易に行なえる。また，誤り率やＳ／Ｎ，信号の分布状態などを表示することで，工場での検査や，フィールドでの保守が容易に行なえる。
【発明を実施するための最良の形態】
【０００６】
図１は本発明の一実施の形態を示すブロック図である。１０１は可変利得手段，１０２は直交復調手段，１０３は波形等化手段，１０４は符号識別手段，１０５はデータ変換手段，１０６は誤り訂正手段，１０７は信号レベル検出手段，１０８は波形等化評価手段，１０９はコンスタレーション評価手段，１１０はＳ／Ｎ評価手段，１１１は誤り率評価手段，１１２は入力状態評価手段，１１３は評価結果表示手段である。
【０００７】
可変利得手段１０１は，ＩＦ入力を入力し，ＩＦ入力の振幅を一定範囲内に入るように調整して出力する。直交復調手段１０２は，可変利得手段１０１の出力するＩＦ信号を復調して，Ｉ信号とＱ信号を出力する。波形等化手段１０３は，Ｉ信号とＱ信号を入力し，伝送路で信号に加えられた歪みを除去して出力する。符号識別手段１０４は，波形等化手段１０３の出力するＩ信号とＱ信号を識別して，デジタルデータを出力する。データ変換手段１０５は，符号識別手段１０４の出力するデジタルデータを送信時の一系列のデータに変換する。誤り訂正手段１０６は，データ変換手段１０５の出力に対して誤り訂正処理を行う。
【０００８】
信号レベル検出手段１０７は，直交復調手段１０２の出力を入力し，振幅が一定範囲内になるように可変利得手段１０１を制御する信号を生成する。
【０００９】
波形等化評価手段１０８は，波形等化手段１０３の制御データを入力し，波形等化手段の状態を判定する。
【００１０】
コンスタレーション評価手段１０９は，波形等化手段１０３の出力を入力し，Ｉ信号を横軸，Ｑ信号を縦軸とする平面上の信号分布を評価する。
【００１１】
Ｓ／Ｎ評価手段１１０は，符号識別手段１０４の出力を入力し，信号のＳ／Ｎを評価する。
【００１２】
誤り率評価手段１１１は，誤り訂正手段で単位時間に訂正されたデータの数を単位時間に送られてくるデータの数で除算することで，簡易的に誤り率を計算する。
【００１３】
入力状態評価手段１１２は，信号レベル検出手段１０７の出力する可変利得手段１０１を制御する信号と，波形等化評価手段１０８の出力する波形等化手段への入力信号の状態と，コンスタレーション評価手段１０９の出力する信号分布の評価と，Ｓ／Ｎ評価手段１１０の出力するＳ／Ｎの評価と，誤り率評価手段１１１の評価結果から，入力信号の状態を評価し，無信号状態と信号のある状態を検出し，その結果と入力された評価結果を出力する。
【００１４】
評価結果表示手段１１３は，入力状態評価手段から出力される，信号レベル検出結果，波形等化評価結果，コンスタレーション評価結果，Ｓ／Ｎ評価結果，誤り率評価結果と，入力信号のある無しの結果の中の一部または，全部を表示する。
【００１５】
以上により，本発明の実施の形態では，入力信号があるかないか，Ｓ／Ｎが良いか悪いか，入力信号のレベルが高いか低いかといった情報とデータの誤り率を簡単に知ることができ，高価な測定器材等を使用すること無く，検査や保守を行うことが可能となる。
【００１６】
図２は，図１の波形等化評価手段１０８の構成例を示す図である。２０１はメインタップ評価手段，２０２はメインタップを除くタップ係数総和演算手段，２０３は加算手段，２０４，２０５は判定手段，２０６は状態判定手段である。
【００１７】
メインタップ評価手段２０１は，波形等化手段のメインタップの大きさが正常な範囲にあるかを評価する。メインタップを除くタップ係数総和演算手段２０２は，メインタップ以外のタップ係数の総和を計算する。加算手段２０３は，メインタップを除くタップ係数総和演算手段２０２の計算結果とメインタップのタップ係数を加算する。判定手段２０４，２０５は，それぞれ，加算手段２０３の出力とメインタップを除くタップ係数総和演算手段の出力が一定の範囲内にあるかどうかを判定する。状態判定手段２０６は，メインタップ評価手段２０１の出力と判定手段２０４，２０５の出力から信号の状態を判定する。
【００１８】
以上により，本発明の実施の形態の一部を構成する波形等化評価手段で，波形等化手段の制御情報から入力信号の状態を知ることが出来る。
【００１９】
図３は，図１のコンスタレーション評価手段１０９の構成例を示す図である。３０１は記憶手段，３０２は基準値記憶手段，３０３は比較手段である。
【００２０】
記憶手段３０１は，波形等化手段１０３の出力を記憶する。基準値記憶手段３０２は，無信号時の信号の分布をあらかじめ計算しておいたすべてのパターンについて記憶しておく。比較手段３０３は，記憶手段３０１に記憶した信号の分布と基準値記憶手段３０２に記憶している全信号パターンを比較して，一致するパターンがあれば，無信号と判定する。
【００２１】
以上により，本発明の実施の形態の一部を構成するコンスタレーション評価手段で，無信号状態を完全に検出することが出来る。
【００２２】
図４は，図１のコンスタレーション評価手段１０９の図３とは別の構成例を示す図である。４０１は記憶手段，４０２，４０４，４０７は比較手段，４０３はカウンタ，４０５，４０８は基準，４０６は度数分布作成手段，４０９は条件判断手段である。
【００２３】
４０１は，波形等化手段の出力を記憶する。比較手段４０２は，波形等化手段の出力と，記憶手段に記憶しているデータを比較して，値が一致した場合にカウンタ４０３に出力する。カウンタ４０３は，比較手段４０２で入力値が一致した回数をカウントする。比較手段４０４は，基準４０５の値とカウンタ４０３のカウント値を比較して，基準４０５の値より大きいか小さいかを出力する。
【００２４】
度数分布作成手段４０６は，記憶手段４０１に記憶しているデータの分布を度数分布にする。比較手段４０７は，度数分布作成手段４０６の分布と基準４０８を比較して，信号点の個数が一定値以下または，信号点の存在範囲が一定の範囲内にあるかどうかを検出する。
【００２５】
条件判断手段４０９は，比較手段４０４，４０７の出力を入力し，比較手段４０４の出力が基準４０５よりカウンタ値の値が大きい場合または，比較手段４０７の出力が信号点の数が一定値以下または，信号点の存在範囲が一定の範囲内にある場合に無信号と判断する。
【００２６】
以上により，本構成例では，図３の構成例のように大量の基準パターンを必要とせず小規模な回路で，無信号検出を行うことが出来る。
【００２７】
図５は，図１の入力状態評価手段１１２の構成例を示す図である。５０１は，論理和手段，５０２は，論理積手段である。
【００２８】
信号レベル検出手段１０７の出力が，入力信号を最大に増幅する信号の場合でかつ，誤り率評価手段１１１の評価結果が訂正不可能の場合に論理積手段５０２は，無信号出力を許可する。
【００２９】
論理和手段５０１は，Ｓ／Ｎ評価手段１１０，波形等化評価手段１０８，コンスタレーション評価手段１０９のいずれかの出力が無信号を出力している場合に無信号を出力する。
【００３０】
論理積手段５０２は，信号レベル検出手段１０７の出力が無信号出力を許可し，かつ，論理和手段５０１が無信号を出力している場合に無信号であると判断する。それ以外の場合は，信号があると判断する。
【００３１】
以上により，本構成例では，複数の無信号検出結果を総合して判断することで，本当に信号が無いのか，信号の品質が悪いのかを区別することが出来る。
【００３２】
図６は本発明の他の実施の形態を示す図である。６０１は評価手段である。
【００３３】
図１の実施例では，ハードウェアで構成していた１０８〜１１２のブロックを図．６の実施例では，評価手段６０１でソフトウェア的に実現する。
【００３４】
以上により，本実施の形態では，評価方法の追加や，評価結果の出力に柔軟性を持たせることが出来る。
【００３５】
図７は，図６の評価結果表示手段１１３の構成例を示す図である。７０１は要求検出手段，７０２は異常検出手段，７０３は表示切換手段，７０４は表示手段である。
【００３６】
要求検出手段７０１は，リモコンまたは本体の操作部からの入力のうち入力信号の状態を表示させるまたは，非表示にする要求を検出して，要求に応じた制御出力を出力する。異常検出手段は，入力状態評価手段１１２または，評価手段６０１の出力する評価結果から入力信号の異常を検出し，異常状態の時には，評価結果を自動的に表示するように制御出力を出力する。表示切換手段７０３は，要求検出手段７０１または，異常検出手段７０２からの制御出力により入力信号の評価結果を表示手段に出力するか出力しないかを切換える。表示手段７０４は，表示切換手段７０３から出力された入力信号の評価結果を表示する。
【００３７】
以上により，本構成例では，検査，保守の際に必要に応じて入力信号の評価状態を知ることができる。さらに，異常が発生した場合には，自動的に異常を知らせるために，効率的に作業を行うことが出来る。
【００３８】
図８は，図７の表示手段７０４の構成例を示す図である。８０１は蛍光表示管，ＬＥＤ，液晶ディスプレイなどの表示装置(以後，表示装置と略す)，８０２は映像合成装置で有る。
【００３９】
表示装置８０１は，表示切換手段７０３の出力を表示する。映像合成装置８０２は，表示切換手段７０３の出力と，受信した放送の映像信号を合成して，合成した映像信号を出力し，テレビジョンなどのディスプレイ装置の画面上に入力信号の評価結果を表示する。
【００４０】
以上により，放送を視聴中に異常が発生した場合には，画面上に状態が表示され，保守センターなどへの連絡時に状態の説明が容易であるため，迅速な対応が可能となる。また，直交復調装置以降の映像を表示する部分に異常が発生した場合でも，本体に別に備えた表示装置８０１が有るため，異常の発生した部位の特定が容易になる。
【００４１】
図９は，図６の評価手段６０１で実行する処理の流れを示す図である。
【００４２】
ステップ９０１は，誤り訂正手段１０６で誤り訂正した数から誤り率を計算する。
【００４３】
ステップ９０２は，ステップ９０１で計算した誤り率から，誤り訂正が不可能であったか，可能であったかを判断し，訂正不可能だった場合には，ステップ９０３へ進み，訂正不可能だった場合には，ステップ９１１へ進む。
【００４４】
ステップ９０３は，信号レベル検出手段１０７の出力する制御値が最大値であるかどうかを判定し，最大である時はステップ９０４へ進み，最大でない場合はステップ９１１へ進む。
【００４５】
ステップ９０４は，符号識別手段１０４の出力から信号のＳ／Ｎ値を求め，ステップ９０５へ進む。ステップ９０５は，ステップ９０４で求めたＳ／Ｎ値が一定の範囲内にあれば，ステップ９１０へ進み，範囲外にあればステップ９０６へ進む。
【００４６】
ステップ９０６は，波形等化手段１０３の出力から，コンスタレーションの信号点分布を求める。
【００４７】
ステップ９０７は，ステップ９０６で求めた信号点の分布が一定の範囲内に有るかを判定し，一定の範囲内にあれば，ステップ９１０へ進み，範囲外にある場合は，ステップ９０８へ進む。
【００４８】
ステップ９０８は，波形等化手段１０３の制御情報を評価するために加工する。
【００４９】
ステップ９０９は，ステップ９０８で加工された制御情報が一定の範囲内にあるかを判定して，一定の範囲内にあれば，ステップ９１０へ進み，範囲外にある場合には，ステップ９１１へ進む。
【００５０】
ステップ９１０は，信号無しの判定結果を出力する。
【００５１】
ステップ９１１は，信号ありの判定結果を出力する。
【００５２】
図１０は，図９の評価手段の処理の中のステップ９０８の波形等化評価の方法の流れを示す図である。
【００５３】
ステップ１００１は，波形等化手段１０３の制御情報の内，センタータップの値が一定の範囲内にあるかを判断する。信号が無い場合には，波形等化が暴走して，極端に小さな値になることがあるため，この場合には，ステップ１００4へ進む。それ以外の場合には，ステップ１００２へ進む。
【００５４】
ステップ１００２は，波形等化手段１０３の制御情報のすべてのタップ係数値を加算して，その総和が一定の範囲内にあるかどうかを判断する。正常な状態で，波形等化手段の総合利得であるタップ係数の総和が極端に大きくなる事や，小さくなることは無いため，一定の範囲内にある場合を正常と判断し，ステップ１００３へ進む，範囲外にある場合は，異常としてステップ１００４へ進む。
【００５５】
ステップ１００３は，センタータップ以外のタップ係数の総和とセンタータップのタップ係数の比が一定の範囲内にあるかどうかを判断する。センタータップのタップ係数値に対して，それ以外のタップの総和が極端に大きくなる事は，正常な状態では，有り得ないため，一定の範囲内にある場合を正常としてステップ１００５へ進む。範囲外の時には，異常としてステップ１００４へ進む。
【００５６】
ステップ１００４は，信号無しの判定結果を出力する。
【００５７】
ステップ１００５は，信号ありの判定結果を出力する。
【００５８】
図１１は，図９の評価手段の処理の中のステップ９０６のコンスタレーション評価の方法の流れを示す図である。
【００５９】
ステップ１１０１は，波形等化手段１０３の出力するＩ信号とＱ信号を取り込む。
【００６０】
ステップ１１０２は，ステップ１１０１で取り込んだデータが同じ値で連続している数を数え，一定個数以上連続する場合は，信号が入っていない異常状態と判断してステップ１１０５へ進む。一定個数以下だった場合は，ステップ１１０３へ進む。
【００６１】
ステップ１１０３は，ステップ１１０１で取り込んだデータを識別値ごとに個数をカウントして度数分布を作成する。
【００６２】
ステップ１１０４は，ステップ１１０３で作成した度数分布で，データの分布が偏っているかどうかを判断する。一部の値にのみ偏っていたばあいは，入力が異常であると判断して，ステップ１１０５へ進む。広い範囲に分布している場合は，正常であると判断して，ステップ１１０６へ進む。
【００６３】
ステップ１１０５は，信号が無いことを出力する。
【００６４】
ステップ１１０６は，信号が有ることを出力する。
【図面の簡単な説明】
【００６５】
【図１】本発明の一実施の形態を示すブロック図である。
【図２】図１の波形等化評価手段の構成例を示すブロック図である。
【図３】図１のコンスタレーション評価手段の構成例を示すブロック図である。
【図４】図１のコンスタレーション評価手段の図３とは異なる構成例を示すブロック図である。
【図５】図１の入力状態評価手段の構成例を示すブロック図である。
【図６】本発明の他の実施の形態を示すブロック図である。
【図７】図６の評価結果表示手段の構成例を示すブロック図である。
【図８】図７の表示手段の構成例を示すブロック図である。
【図９】図６の評価手段の処理の流れを示す図である。
【図１０】図９の評価手段の処理の中の波形等化評価の方法の流れを示す図である。
【図１１】図９の評価手段の処理の中のコンスタレーション評価の流れを示す図である。
【符号の説明】
【００６６】
１０１…可変利得手段，１０２…直交復調手段，１０３波形等化手段，１０４…符号識別手段，１０５…データ変換手段，１０６…誤り訂正手段，１０７…信号レベル検出手段，１０８…波形等化評価手段，１０９…コンスタレーション評価手段，１１０…Ｓ／Ｎ評価手段，１１１…誤り率評価手段，１１２…入力状態評価手段，１１３…評価結果表示手段，２０１…メインタップ評価手段，２０２…メインタップを除くタップ係数総和演算手段，２０３…加算手段，２０４，２０５…判定手段，２０６…状態判定手段，３０１，４０１…記憶手段，３０２…基準値記憶手段，３０３，４０２，４０４，４０７…比較手段，４０３…カウンタ，４０５，４０８…基準，４０６…度数分布作成手段，４０９…条件判断手段，５０１…論理和手段，５０２…論理積手段，６０１…評価手段，７０１…要求検出手段，７０２…異常検出手段，７０３…表示切換手段，７０４…表示手段，８０１…表示装置，８０２…映像合成装置。
【図１】
2005198323.tif 000003
【図２】
2005198323.tif 000004
【図３】
2005198323.tif 000005
【図４】
2005198323.tif 000006
【図５】
2005198323.tif 000007
【図６】
2005198323.tif 000008
【図７】
2005198323.tif 000009
【図８】
2005198323.tif 000010
【図９】
2005198323.tif 000011
【図１０】
2005198323.tif 000012
【図１１】
2005198323.tif 000013
【手続補正書】
【提出日】平成17年2月8日(2005.2.8)
【手続補正１】
【補正対象書類名】特許請求の範囲
【補正対象項目名】全文
【補正方法】変更
【補正の内容】
【特許請求の範囲】
【請求項１】
デジタル変調信号を受信する受信手段と、
該受信手段により受信された該デジタル変調信号を復調する復調手段と、
該復調手段により復調された信号の信号レベルを検出する信号レベル検出手段と、
該復調手段により出力された信号の分布状態を評価するコンスタレーション評価手段と、
該復調手段により出力された信号に含まれる、伝送路で加えられた歪みを制御し、その制御に関する制御情報を出力する波形等化手段と、
該波形等化手段により出力された制御情報に基づいて該波形等化手段への入力信号の状態を評価する波形等化評価手段と、
該復調手段により出力された信号の信号対雑音比を評価するＳ／Ｎ評価手段と、
該復調調手段の出力するデータの誤り訂正処理において誤り率を求める誤り率評価手段と、
該信号レベル検出手段、該コンスタレーション評価手段、該波形等化評価手段、該Ｓ/Ｎ評価手段及び該誤り率評価手段により出力された信号の中の少なくとも２つ以上を組み合わせて表示する表示手段とを備えることを特徴とする受信装置。
【請求項２】
請求項１記載の受信装置において、
前記信号レベル検出手段、前記コンスタレーション評価手段、前記波形等化評価手段、前記Ｓ/Ｎ評価手段及び前記誤り率評価手段により出力された信号の状態を評価する入力状態評価手段と、
該入力状態評価手段における入力信号の評価を出力する出力手段とを備え、
前記表示手段は、該入力信号の有無の結果及び該出力手段により出力された結果を表示することを特徴とする受信装置。
【請求項３】
請求項２記載の受信装置において、
前記表示手段は、前記入力信号の有無の結果及び前記出力手段により出力された結果の中の一部又は全部を表示することを特徴とする受信装置。
【請求項４】
請求項１乃至３いずれかに記載の受信装置において、
前記波形等化評価手段は、波形等化手段の制御情報の内，主信号の利得を表わすメインタップのタップ係数を評価するメインタップ評価手段と、メインタップを除くタップのタップ係数の総和を求めるメインタップを除くタップ係数総和演算手段と、前記メインタップを除くタップ係数総和演算手段の演算結果とメインタップのタップ係数を加算して，全タップのタップ係数の合計を求める加算手段と、前記加算手段の演算結果を評価する第１の判定手段と、前記メインタップを除くタップ係数総和演算手段の演算結果を評価する第２の判定手段と、前記メインタップ評価手段の評価結果と、前記第１の判定手段の評価結果と、前記第２の判定手段の評価結果から，前記波形等化手段への入力信号の状態を評価する状態判定手段を備えることを特徴とする受信装置。
【請求項５】
請求項１乃至４いずかに記載の受信装置において、
前記コンスタレーション評価手段は、信号及びその信号の変化パターンを記憶する記憶手段と、信号が入力されていない場合に前記波形等化手段から出力される可能性の有る信号の変化パターンを記憶する基準値記憶手段と、該記憶手段に記憶された変化パターンと該基準値記憶手段により記憶された変化パターンのなかで一致するものが有るかを判断する比較手段とを備えることを特徴とする受信装置。
【請求項６】
請求項１乃至５いずかに記載の受信装置において、
前記誤り率評価手段は、データの誤り訂正処理においてエラー発生数を通過データ数で割り算して誤り率を求めることを特徴とする受信装置。
【請求項７】
デジタル化されたＩＦ信号を入力する入力手段と、
該入力手段により入力された該ＩＦ信号を復調する復調手段と、
該復調手段により復調された信号の信号レベルを検出する信号レベル検出手段と、
該復調手段により出力された信号の分布状態を評価するコンスタレーション評価手段と、
該復調手段により出力された信号に含まれる歪みを除去し、その除去に関する制御データを出力する波形等化手段と、
該波形等化手段により出力された制御データに基づいて該波形等化手段への入力信号の状態を評価する波形等化評価手段と、
該復調手段により出力された信号の信号対雑音比を評価するＳ／Ｎ評価手段と、
該復調調手段の出力するデータの誤り訂正処理において誤り率を求める誤り率評価手段と、
該信号レベル検出手段、該コンスタレーション評価手段、該波形等化評価手段、該Ｓ/Ｎ評価手段及び該誤り率評価手段により出力された信号の中から複数種類抽出して表示する表示手段とを備えることを特徴とする受信装置。
【請求項８】
デジタル変調信号を受信する受信手段と、
該受信手段により受信された該デジタル変調信号を復調する復調手段と、
該復調手段により復調された信号の信号レベルを検出する信号レベル検出手段と、
該復調手段により出力された信号の信号対雑音比を評価するＳ／Ｎ評価手段と、
該復調調手段の出力するデータの誤り訂正処理において誤り率を求める誤り率評価手段と、
該信号レベル検出手段、該Ｓ/Ｎ評価手段及び該誤り率評価手段により出力された信号を同一画面上に表示する表示手段とを備えることを特徴とする受信装置。
【手続補正３】
【補正対象書類名】明細書
【補正対象項目名】０００４
【補正方法】変更
【補正の内容】
【０００４】
上記課題を解決するために、例えば、デジタル変調信号を受信する受信手段と、該受信手段により受信された該デジタル変調信号を復調する復調手段と、該復調手段により復調された信号の信号レベルを検出する信号レベル検出手段と、該復調手段により出力された信号の分布状態を評価するコンスタレーション評価手段と、該復調手段により出力された信号に含まれる、伝送路で加えられた歪みを制御し、その制御に関する制御情報を出力する波形等化手段と、該波形等化手段により出力された制御情報に基づいて前記波形等化手段への入力信号の状態を評価する波形等化評価手段と、該復調手段により出力された信号の信号対雑音比を評価するＳ／Ｎ評価手段と、該復調調手段の出力するデータの誤り訂正処理において誤り率を求める誤り率評価手段と、該信号レベル検出手段、該コンスタレーション評価手段、該波形等化評価手段、該Ｓ/Ｎ評価手段及び該誤り率評価手段により出力された信号の中の少なくとも２つ以上を組み合わせて表示する表示手段を備えるように構成すればよい。
【手続補正４】
【補正対象書類名】明細書
【補正対象項目名】０００５
【補正方法】変更
【補正の内容】
【０００５】
本発明によれば、容易に検査や保守を行うために好適な受信装置を提供することができる。